【手続補正書】
【提出日】平成17年5月23日(2005.5.23)
【手続補正１】
【補正対象書類名】明細書
【補正対象項目名】発明の名称
【補正方法】変更
【補正の内容】
【発明の名称】プレビュー画像表示方法、印刷制御装置およびプログラムを記録した記録媒体
【手続補正２】
【補正対象書類名】明細書
【補正対象項目名】特許請求の範囲
【補正方法】変更
【補正の内容】
【特許請求の範囲】
【請求項１】
格納された印刷データを印刷する際に、印刷済みのシートを製本することで本来の順序でページが配置されるように印刷する製本印刷を指定可能な印刷制御装置においてプレビュー画像を表示するプレビュー画像表示方法であって、
製本印刷が指定されているか否かを判定する判定工程と、
前記判定工程により製本印刷が指定されていると判定された場合、製本された状態で見開きとなる関係のページが、見開きの方向に配置されて、見開きの状態となるように、前記印刷データをプレビュー表示する表示工程を有することを特徴とするプレビュー画像表示方法。
【請求項２】
前記表示工程では、見開きの方向が左開きと指定されている場合、左側から右側に向かって、見開きとなる関係のページ同士が隣接するようにプレビュー表示することを特徴とする請求項１に記載のプレビュー画像表示方法。
【請求項３】
前記表示工程では、見開きの方向が右開きと指定されている場合、右側から左側に向かって、見開きとなる関係のページ同士が隣接するようにプレビュー表示することを特徴とする請求項１または２に記載のプレビュー画像表示方法。
【請求項４】
前記表示工程では、見開きの方向が上開きと指定されている場合、見開きとなる関係のページ同士が上下に隣接するようにプレビュー表示することを特徴とする請求項１乃至３のいずれかに記載のプレビュー画像表示方法。
【請求項５】
前記表示工程では、製本後に見開きとなる一対のページごとに分割して表示することを特徴とする請求項１乃至４のいずれかに記載のプレビュー画像表示方法。
【請求項６】
前記表示工程では、前記製本印刷されるべきページを、製本後にページをめくる順序で並べて表示することを特徴とする請求項１乃至５のいずれかに記載のプレビュー画像表示方法。
【請求項７】
印刷データを格納する格納工程をさらに備えることを特徴とする請求項１乃至６のいずれかに記載のプレビュー画像表示方法。
【請求項８】
アプリケーションからの印刷命令を論理ページ単位に中間コードに変換する変換工程をさらに備えることを特徴とする請求項１乃至７のいずれかに記載のプレビュー画像表示方法。
【請求項９】
製本印刷が指定されている場合、製本後にページをめくることで前記プレビュー表示した通りの順序となるように印刷装置にて印刷させるために、印刷されるべきデータの出力順序を決定する決定工程をさらに備えることを特徴とする請求項１乃至８のいずれかに記載のプレビュー画像表示方法。
【請求項１０】
製本後にページをめくっていく順序である前記表示工程によって表示される前記印刷データの表示順序と前記決定工程により決定される印刷されるべきデータの出力順序とは異なることを特徴とする請求項９に記載のプレビュー画像表示方法。
【請求項１１】
論理ページが配置された物理ページを製本することで１部の本となるように印刷を行わせる印刷データを生成する印刷制御装置においてプレビュー画像を表示するプレビュー画像表示方法であって、
製本印刷が選択されているか否かを判定する判定工程と、
前記判定工程において製本印刷が選択されていると判定された場合、異なる物理ページに配置されるべき不連続の論理ページを製本後にページをめくる順序である論理ページの表示順序に基づいてプレビュー画像として表示部に表示する表示工程と
を備えることを特徴とするプレビュー画像表示方法。
【請求項１２】
格納された印刷データを印刷する際に、印刷済みのシートを製本することで本来の順序でページが配置されるように印刷する製本印刷を指定可能な印刷制御装置であって、
製本印刷が指定されているか否かを判定する判定手段と、
前記判定手段により製本印刷が指定されていると判定された場合、製本された状態で見開きとなる関係のページが、見開きの方向に配置されて、見開きの状態となるように、前記印刷データをプレビュー表示する表示手段を有することを特徴とする印刷制御装置。
【請求項１３】
前記表示手段は、見開きの方向が左開きと指定されている場合、左側から右側に向かって、見開きとなる関係のページ同士が隣接するようにプレビュー表示することを特徴とする請求項１２に記載の印刷制御装置。
【請求項１４】
前記表示手段は、見開きの方向が右開きと指定されている場合、右側から左側に向かって、見開きとなる関係のページ同士が隣接するようにプレビュー表示することを特徴とする請求項１２または１３に記載の印刷制御装置。
【請求項１５】
前記表示手段は、見開きの方向が上開きと指定されている場合、見開きとなる関係のページ同士が上下に隣接するようにプレビュー表示することを特徴とする請求項１２乃至１４のいずれかに記載の印刷制御装置。
【請求項１６】
前記表示手段は、製本後に見開きとなる一対のページごとに分割して表示することを特徴とする請求項１２乃至１５のいずれかに記載の印刷制御装置。
【請求項１７】
前記表示手段は、前記製本印刷されるべきページを、製本後にページをめくる順序で並べて表示することを特徴とする請求項１２乃至１６のいずれかに記載の印刷制御装置。
【請求項１８】
印刷データを格納する格納手段をさらに備えることを特徴とする請求項１２乃至１７のいずれかに記載の印刷制御装置。
【請求項１９】
アプリケーションからの印刷命令を論理ページ単位に中間コードに変換する変換手段をさらに備えることを特徴とする請求項１２乃至１８のいずれかに記載の印刷制御装置。
【請求項２０】
製本印刷が指定されている場合、製本後にページをめくることで前記プレビュー表示した通りの順序となるように印刷装置にて印刷させるために、印刷されるべきデータの出力順序を決定する決定手段をさらに備えることを特徴とする請求項１２乃至１９のいずれかに記載の印刷制御装置。
【請求項２１】
製本後にページをめくっていく順序である前記表示手段によって表示される前記印刷データの表示順序と前記決定手段により決定される印刷されるべきデータの出力順序とは異なることを特徴とする請求項２０に記載の印刷制御装置。
【請求項２２】
論理ページが配置された物理ページを製本することで１部の本となるように印刷を行わせる印刷データを生成する印刷制御装置であって、
製本印刷が選択されているか否かを判定する判定手段と、
前記判定手段において製本印刷が選択されていると判定された場合、異なる物理ページに配置されるべき不連続の論理ページを製本後にページをめくる順序である論理ページの表示順序に基づいてプレビュー画像として表示部に表示する表示手段と
を備えることを特徴とする印刷制御装置。
【請求項２３】
格納された印刷データを印刷する際に、印刷済みのシートを製本することで本来の順序でページが配置されるように印刷する製本印刷を指定可能なコンピュータにおいてプレビュー画像を表示するためのプログラムを記録したコンピュータ可読記録媒体であって、前記プログラムは、
製本印刷が指定されているか否かを判定する判定手段と、
前記判定手段により製本印刷が指定されていると判定された場合、製本された状態で見開きとなる関係のページが、見開きの方向に配置されて、見開きの状態となるように、前記印刷データをプレビュー表示する表示手段としてコンピュータを機能させることを特徴とするコンピュータ可読記録媒体。
【請求項２４】
前記表示手段は、見開きの方向が左開きと指定されている場合、左側から右側に向かって、見開きとなる関係のページ同士が隣接するようにプレビュー表示することを特徴とする請求項２３に記載の記録媒体。
【請求項２５】
前記表示手段は、見開きの方向が右開きと指定されている場合、右側から左側に向かって、見開きとなる関係のページ同士が隣接するようにプレビュー表示することを特徴とする請求項２３または２４に記載の記録媒体。
【請求項２６】
前記表示手段は、見開きの方向が上開きと指定されている場合、見開きとなる関係のページ同士が上下に隣接するようにプレビュー表示することを特徴とする請求項２３乃至２５のいずれかに記載の記録媒体。
【請求項２７】
前記表示手段は、製本後に見開きとなる一対のページごとに分割して表示することを特徴とする請求項２３乃至２６のいずれかに記載の記録媒体。
【請求項２８】
前記表示手段は、前記製本印刷されるべきページを、製本後にページをめくる順序で並べて表示することを特徴とする請求項２３乃至２７のいずれかに記載の記録媒体。
【請求項２９】
印刷データを格納する格納手段としてコンピュータをさらに機能させることを特徴とする請求項２３乃至２８のいずれかに記載の記録媒体。
【請求項３０】
アプリケーションからの印刷命令を論理ページ単位に中間コードに変換する変換手段としてコンピュータをさらに機能させることを特徴とする請求項２３乃至２９のいずれかに記載の記録媒体。
【請求項３１】
製本印刷が指定されている場合、製本後にページをめくることで前記プレビュー表示した通りの順序となるように印刷装置にて印刷させるために、印刷されるべきデータの出力順序を決定する決定手段としてコンピュータをさらに機能させることを特徴とする請求項２３乃至３０のいずれかに記載の記録媒体。
【請求項３２】
製本後にページをめくっていく順序である前記表示手段によって表示される前記印刷データの表示順序と前記決定手段により決定される印刷されるべきデータの出力順序とは異なることを特徴とする請求項３１に記載の記録媒体。
【請求項３３】
論理ページが配置された物理ページを製本することで１部の本となるように印刷を行わせる印刷データを生成するコンピュータにおいてプレビュー画像を表示するためのプログラムを記録したコンピュータ可読記録媒体であって、前記プログラムは、
製本印刷が選択されているか否かを判定する判定手段と、
前記判定手段において製本印刷が選択されていると判定された場合、異なる物理ページに配置されるべき不連続の論理ページを製本後にページをめくる順序である論理ページの表示順序に基づいてプレビュー画像として表示部に表示する表示手段と
としてコンピュータを機能させることを特徴とするコンピュータ可読記録媒体。
【手続補正３】
【補正対象書類名】明細書
【補正対象項目名】０００６
【補正方法】変更
【補正の内容】
【０００６】
【課題を解決するための手段】
上記目的を達成するために本発明は次のような構成からなる。すなわち、
格納された印刷データを印刷する際に、印刷済みのシートを製本することで本来の順序でページが配置されるように印刷する製本印刷を指定可能な印刷制御装置においてプレビュー画像を表示するプレビュー画像表示方法であって、
製本印刷が指定されているか否かを判定する判定工程と、
前記判定工程により製本印刷が指定されていると判定された場合、製本された状態で見開きとなる関係のページが、見開きの方向に配置されて、見開きの状態となるように、前記印刷データをプレビュー表示する表示工程を有する。
【手続補正４】
【補正対象書類名】明細書
【補正対象項目名】０００７
【補正方法】変更
【補正の内容】
【０００７】
あるいは、
論理ページが配置された物理ページを製本することで１部の本となるように印刷を行わせる印刷データを生成する印刷制御装置においてプレビュー画像を表示するプレビュー画像表示方法であって、
製本印刷が選択されているか否かを判定する判定工程と、
前記判定工程において製本印刷が選択されていると判定された場合、異なる物理ページに配置されるべき不連続の論理ページを製本後にページをめくる順序である論理ページの表示順序に基づいてプレビュー画像として表示部に表示する表示工程とを備える。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】